(57)【要約】【課題】 本発明は、データ駆動回路で消費する電力と生成される発熱とを減少させることができるデータ制御方法及び装置を提供する。【解決手段】本発明のプラズマディスプレイ装置は、スキャン電極と、前記スキャン電極と交差するデータ電極と、スキャン電極とデータ電極との交差部にある放電セルとを備える。走査駆動部はスキャン電極を走査する。データ駆動部はデータ電極にデータを供給し、また制御部はスキャン駆動部及びデータ駆動部を制御する。制御部はデータの負荷を検出するために入力データのデータパターンを検出し、負荷によって走査駆動部の走査を制御する。これによってスキャン電極が２以上のグループに分けられ走査信号が供給されると、データ電極に供給されるデータ信号の極性変化を最小化することができる。【選択図】図５
2006106684.tif 000002
【特許請求の範囲】
【請求項１】
スキャン電極と、前記スキャン電極と交差するデータ電極と、前記スキャン電極と前記データ電極との交差部にある放電セルとを備えるプラズマディスプレイ装置において、
前記スキャン電極を走査手順によって走査する走査駆動部と、
前記データ電極にデータ信号を供給するデータ駆動部と、
前記走査駆動部と前記データ駆動部を制御しかつ入力データの少なくとも１つの所定データパターンを検出し、前記少なくとも１つのデータパターンと関連するデータ負荷を判断して、前記データ負荷によって前記走査駆動部を制御する制御部と、
を含むことを特徴とする、プラズマディスプレイ装置。
【請求項２】
前記制御部は、少なくとも２つのデータパターンが検出可能なことを特徴とする、請求項１に記載のプラズマディスプレイ装置。
【請求項３】
前記制御部は、
入力データの少なくとも２つのデータパターンを検出するためのデータパターン検出部と、
前記少なくとも２つのデータパターンの各々のデータ負荷を検出するためのデータ負荷検出部と、
前記データ負荷検出部によって検出されたデータ負荷によってスキャン電極の走査手順を制御する波形発生部と、
前記走査手順によってデータ電極に提供されたデータを再整列するデータ整列部との中で少なくとも一つを備えることを特徴とする、請求項２に記載のプラズマディスプレイ装置。
【請求項４】
前記制御部によって検出された少なくとも２つのデータパターンは、
第１方向と第２方向において、ハイレベルとローレベルとが繰り返す第１ データパターンと、
前記第１方向においてハイレベルとローレベルとが繰り返される、かつ前記第２方向の２つのグループにおいて前記ハイレベルとローレベルとが繰り返される第２データパターンとの中で、少なくとも一つを含むことを特徴とする、請求項３に記載のプラズマディスプレイ装置。 
【請求項５】
前記第１方向はロー方向であって、前記第２方向はカラム方向であることを特徴とする、請求項４に記載のプラズマディスプレイ装置。
【請求項６】
前記制御部は、前記第１データパターンのデータ負荷が第１基準点を超過する場合に、第１走査手順に前記スキャン電極を走査するように前記走査駆動部を制御し、また前記第２データパターンのデータ負荷が第２基準点を超過する場合に、前記第１走査手順とは異なる第２走査手順に前記スキャン電極を走査するように前記走査駆動部を制御することを特徴とする、請求項４に記載のプラズマディスプレイ装置。 
【請求項７】
前記第１基準点は、前記第２基準点とは異なることを特徴とする、請求項６に記載のプラズマディスプレイ装置。 
【請求項８】
前記第１基準点は、２５%に設定されることを特徴とする、請求項６に記載のプラズマディスプレイ装置。  
【請求項９】
前記第２基準点は、５０%に設定されることを特徴とする、請求項６に記載のプラズマディスプレイ装置。  
【請求項１０】
前記第１走査手順は、スキャン電極が２つのグループに分割された後に走査される手順であって、
前記第２走査手順は、スキャン電極が４個のグループに分割された後走査される手順であることを特徴とする、請求項６に記載のプラズマディスプレイ装置。  
【請求項１１】
前記第１走査手順において、前記スキャン電極は、奇数番目のスキャン電極を有する第１グループと、偶数番目のスキャン電極を有する第２グループとに分割されることを特徴とする、請求項１０に記載のプラズマディスプレイ装置。
【請求項１２】
前記第１走査手順において、前記第１グループに含まれた前記スキャン電極が順次に走査された後、第２グループに含まれたスキャン電極が順次に走査されることを特徴とする、請求項１１に記載のプラズマディスプレイ装置。
【請求項１３】
前記第２走査手順において、スキャン電極は、i(iは、１、５、９、１３、…)番目のスキャン電極を含む第１グループと、i+１番目のスキャン電極を含む第２グループと、i+２番目のスキャン電極を含む第３グループと、i+３番目のスキャン電極を含む第４グループとに分けられることを特徴とする、請求項１０に記載のププラズマディスプレイ装置。
【請求項１４】
前記第２走査手順において、前記第１グループに含まれたスキャン電極が順次に走査され、前記第２グループに含まれたスキャン電極が順次にスキャンされ、前記第３グループに含まれたスキャン電極が順次にスキャンされ、また前記第４グループに含まれたスキャン電極が順次に走査されることを特徴とする、請求項１３に記載のプラズマディスプレイ装置。 
【請求項１５】
前記制御部は、少なくとも一つのデータパターンが各サーブフィールドに存在するかを判断することを特徴とする、請求項１に記載のプラズマディスプレイ装置。 
【請求項１６】
スキャン電極と、
前記スキャン電極と交差するデータ電極と、
少なくとも２つのスキャン電極の一部分を通じて一つのパターンと関連するデータ負荷による走査手順にスキャン電極を走査する走査駆動部と、
前記データ電極に対する走査に対応するデータ信号を供給するデータ駆動部と、
を備えることを特徴とする、プラズマディスプレイ装置。 
【請求項１７】
前記少なくとも２つのスキャン電極は、隣接したスキャン電極であることを特徴とする、請求項１６に記載のプラズマディスプレイ装置。 
【請求項１８】
スキャン電極と、
前記スキャン電極と交差するデータ電極と、
前記スキャン電極と前記データ電極の交差部にある放電セルと、
少なくとも一つの所定のデータパターンが、前記放電セルに入力されるデータのデータパターンに含まれる割合によって少なくとも２つの走査手順に前記スキャン電極を走査する走査駆動部と、
前記少なくとも２つの走査手順に対応するデータ信号を前記データ電極に入力するデータ駆動部と、
を備えることを特徴とする、プラズマディスプレイ装置。  
【請求項１９】
スキャン電極と、前記スキャン電極と交差するデータ電極とを含むプラズマディスプレイ装置を駆動する方法において、
少なくとも２つのスキャン電極のデータ負荷による走査手順に前記スキャン電極を走査する段階と、
前記走査手順に対応するデータ信号を前記データ電極に供給する段階と、
を含むことを特徴とする、プラズマディスプレイ装置の駆動方法。  
【請求項２０】
スキャン電極と、前記スキャン電極と交差するデータ電極及び前記スキャン電極と前記データ電極との交差部にある放電セルとを備えるプラズマディスプレイ装置を駆動する方法において、
少なくとも一つの所定のデータパターンが、前記放電セルに入力されるデータのデータパターンに含まれる割合によって少なくとも２つの走査手順に前記スキャン電極を走査する段階と、
前記スキャン電極に対応するデータ信号を前記データ電極に供給する段階と、
を含むことを特徴とする、プラズマディスプレイ装置の駆動方法。  
【請求項２１】
スキャン電極と、前記スキャン電極と交差するデータ電極及び前記スキャン電極と前記データ電極との交差部にある放電セルとを備えるプラズマディスプレイ装置において、
前記スキャン電極を走査手順に走査する手段と、
データ信号を前記データ電極に供給する手段と、
前記走査手段及び前記供給手段を制御し、かつ入力データの少なくとも一つの所定のデータパターンを検出し、前記データパターンと関連するデータ負荷を判断する手段とを含み、また前記データ負荷によって前記走査手段を制御する制御手段と、
を含むことを特徴とする、プラズマディスプレイ装置。
【発明の詳細な説明】
【技術分野】
【０００１】
本発明は、データ制御方法及び装置に関し、特に、データ駆動回路で消費する電力と生成される発熱とを減少させることができるデータ制御方法及び装置に関する。
【背景技術】
【０００２】
近年、陰極線管(Cathode Ray Tube：「ＣＲＴ」)に比べて重量及び体積を小さくすることができる平板表示装置に対する関心が大きくなっている。このような平板表示装置には、液晶表示装置(Liquid Crystal Display：「ＬＣＤ」)、プラズマディスプレイパネル(Plasma Display Panel：「ＰＤＰ」)、電界放出表示装置(Field Emission Display：「ＦＥＤ」)、および電界発光装置(Electro-Luminescence：「ＥＬ」)などがある。この平板表示装置は、デジタル信号又はアナログデータを表示パネルに供給する。
【０００３】
このような平板表示装置の中、ＰＤＰは、Ｈe＋Ｘｅ、Ｎｅ＋Ｘｅ、又はＨe＋Ｎｅ＋Ｘｅなどのガスの放電時発生する１４７nmの紫外線によって励起された蛍光体を発光させることで、文字又はグラフィックを含んだ画像を表示する。このようなＰＤＰは、薄膜化と大型化が容易するだけでなく、最近の技術開発に伴い、大きく向上した画質を提供する。特に、３電極交流面放電型ＰＤＰは、放電の時表面に壁電荷が蓄積されて放電によって発生されるスパッタリング(Sputtering)から電極を保護するため、低電圧駆動と長寿命の長所を持つ。
【０００４】
このような３電極交流面放電型ＰＤＰは、画像の階調(Gray Level)を表示するために、一つのフレームを異なる放電回数を有する複数のサーブフィールドに時分割して駆動する。各サーブフィールドは、再び放電を均一に起こすためのリセット期間と、放電セルを選択するためのアドレス期間及び放電回数によって階調を表示するサステイン期間とに分けられる。例えば、２５６階調で画像を表示しようとする場合に１/６０秒に該当するフレーム期間(１６.６７ms)は、図１に示すように、８つのサーブフィールド(ＳＦ１〜ＳＦ８)に分けられる。８つのサーブフィールドの各々は、前述のように、再びリセット期間、アドレス期間及びサステイン期間に分けられる。ここで、各サーブフィールドのリセット期間及びアドレス期間は、各サーブフィールドごとに同一である反面、サステイン期間及びその放電回数は、各サーブフィールドにおいて、２n(n=０、１、２、３、４、５、６、７) の比率で増加される。このように各サーブフィールドにおいてサステイン期間が変化するため、画像の階調を表示することができる。
【０００５】
ところで、ＰＤＰは、２つの電極の間で放電を起こす放電特性と大画面のパネルの大きさとによって駆動電圧が比較的高電圧になるため消費電力が大きい。また、ＰＤＰのデータ電極とスキャン電極とを駆動するためのドライバー集積回路(「ＩＣ」)は、放電を起こすために高電圧を各電極(Ｙ、Ｚ及びＸ)に供給しなければならないため消費電力と発熱量とが相対的に大きい。
【０００６】
ＰＤＰにおいて、電力は大部分維持期間で消費され、またその次にアドレス期間で消費される。例えば、維持期間には数百Ｗの電力が必要であり、またアドレス期間には数十Ｗの電力が必要である。維持期間の電力消費は主にＰＤＰの效率に依存する。アドレス期間の消費電力はＰＤＰの静電容量値(Ｃ)と電圧(Ｖ)、及びドライバーＩＣのスイチング回数に依存する。
【０００７】
ＰＤＰの静電容量(Ｃ)は、図２のようにデータ電極(Ｘ１〜Ｘｎ)の間の静電容量(Ｃ１)、データ電極(Ｘ１〜Ｘｎ)とスキャン電極(Ｙ１〜Ｙｍ)との間の静電容量(Ｃ２)、スキャン電極(Ｙ１〜Ｙｍ)と共通維持電極(Ｚ)との間の静電容量(Ｃ３)、及びアドレス電極(Ｘ)と共通維持電極(Ｚ)との間の静電容量(Ｃ４)とを含む。アドレス期間の消費電力の中で９０% 以上は、ＰＤＰの充/放電の時発生する変位電流によって発生される。アドレス期間の消費電力において、変位電流によって発生される消費電力の大きさは下記の数式１で示することができる。  
Ｐ＝ＩＶ＝ＣＶ２ｆ    （数式１）
【０００８】
ここで、Ｉは電流、Ｖはデータパルスの電圧、Ｃはアドレス電極(Ｘ)とこれに隣接した他の電極(Ｙ及びＺ)間の静電容量値、そして、ｆは周波数として示したデータドライバーＩＣの単位時間当たり平均スイチング回数である。
【０００９】
このようにデータドライバーＩＣにエネルギー回収回路が採用された場合、データドライバーＩＣの消費電力は数式２で示すことができる。  
Ｐ＝ＩＶ＝ＣＶ２ｆ(１-α)・・・・（数式２）    
ここで、αはエネルギー回収回路によるエネルギー回収效率を示す。データドライバーＩＣにおいて、エネルギー回収效率(α)は最大０．５程度である。
【００１０】
数式１及び数式２にわかるように、アドレス期間の消費電力を減らすための方法には、充/放電回数を減らして変位電流(Ｉ)を低める方法、データ電圧(Ｖ)を低める方法、ＰＤＰの静電容量(Ｃ)を低める方法、データドライバーＩＣのスイチング回数(ｆ)を減らす方法などがある。ところが、データ電圧(Ｖ)を低める方法は、データ電圧が放電セルで放電を起こすことができる電圧であるため限界がある解決策であり、また、ＰＤＰの静電容量を減らす方法も、ＰＤＰが高解像度/大画面化を志向しているため、同様に限界がある解決策である。
【００１１】
データドライバーＩＣのスイチング回数(ｆ)は、図３に示したように、データパターンが放電セルのカラム方向とロー方向との全てで、ハイ論理とロー論理との繰り返される時最大になる。言い換えて、図３のようなデータパターンは、データドライバーＩＣが水平週期ごとにスイチング素子を繰り返してオン/オフさせることを要する。
【００１２】
データドライバーＩＣのスイチング素子が水平週期ごとにオン/オフを繰り返せば、電力消費が高くなると共にデータドライバーＩＣが発熱される問題点がある。実際に、図３のようなデータパターンが所定時間以上持続的に供給されると、データドライバーＩＣで高い熱が発生されデータドライバーＩＣが破損されることもある。 
【００１３】
また、データドライバーＩＣのスイチング回数(ｆ)は、図４のように互いに隣接した２つの放電セル１０に同一論理の電圧が供給される時高く設定される。このようなパターンでロー方向の放電セルにおいてハイ論理とロー論理とが繰り返され、またカラム方向の２つの放電セルグループでハイ論理とロー論理とが繰り返される。言い換えて、データドライバーＩＣは、図４のようなデータパターンが入力される時水平週期ごとにスイチング素子を繰り返してオン/オフさせて、これによって電力消費が高くなると共に過度に高い熱が発生される。
【００１４】
そして、ＰＤＰの静電容量(Ｃ)も図３及び図４のようなデータパターンが入力される時高く設定される。上述したように、図３及び図４のようなデータパターンでは、ＰＤＰの静電容量とデータドライバーＩＣのスイチング回数とが高くなるようになり、変位電流がそれ程高くなるので消費電力と発熱量が高くなる。  
【発明の開示】
【発明が解決しようとする課題】
【００１５】
本発明の課題は、前記従来技術において発生する問題点に鑑みてなされたもので、データ駆動回路から発生する電力消費と発熱とを減らすことができるデータ制御方法及び装置を提供することである。さらに、追加的なまた他の特徴も達成されることができる。 
【課題を解決するための手段】
【００１６】
本発明の一実施形態によれば、プラズマ処理装置は、スキャン電極と、 前記スキャン電極と交差するデータ電極と、前記スキャン電極と前記データ電極との交差部にある放電セルとを備える。走査駆動部は前記スキャン電極を走査する。データ駆動部は前記データ電極にデータ信号を供給し、制御部は前記走査駆動部と前記データ駆動部とを制御する。前記制御部は、データ負荷を判断するために所定の入力データのデータパターンを検出し、前記データ負荷によって前記走査駆動部の走査を制御する。 
【００１７】
前記制御部は、入力データのデータパターンを検出するデータパターン検出部と、前記データパターン検出部で検出されたデータパターンによって所定データパターンのデータ負荷を検出するデータ負荷検出部と、データ負荷検出部の制御下にスキャン電極の走査手順を制御する波形発生部と、前記スキャン手順によってデータ電極に提供されたデータを再整列するデータ整列部とを備える。
【００１８】
前記制御部は、他のパターンの中で少なくとも放電セルのカラム方向とロー方との全てでハイレベルとローレベルとが繰り返される第１データパターン、及びロー方向でハイレベルとローレベルとが繰り返されるかつカラム方向の２つの放電セルグループにおいてハイレベルとローレベルとが繰り返される第２データパターンとを検出することができる。
【００１９】
前記制御部は、前記第１データパターンのデータが一画面に供給された総データの中で第１基準点を超過する場合に、第１走査手順に前記スキャン電極を走査するように前記走査駆動部を制御し、前記第２データパターンのデータが一画面に供給されたデータの中で第２基準点を超過する場合に、第２走査手順に前記スキャン電極を走査するように前記走査駆動部を制御する。前記第２走査手順は第１走査手順とは異なることもあって、第２基準点は第１基準点と異なることもある。ここで、パーセントに表示された特定パターンのデータ量を「データ負荷」と言う。
【００２０】
前記第１基準点は、２５%に設定されることができる。
【００２１】
前記第２基準点は、５０%に設定されることができる。 
【００２２】
前記第１走査手順は、スキャン電極が２つのグループに分割され走査される手順であり、第２走査手順は、スキャン電極が４個のグループに分割され走査される手順である。
【００２３】
前記第１走査手順において、スキャン電極は、奇数番目の電極を有する第１グループと、偶数番目の電極を有する第２グループとに分割される。
【００２４】
前記第１走査手順において、第１グループに含まれた奇数番目のスキャン電極が実質的に走査され、第２グループに含まれた偶数番目のスキャン電極が実質的に走査される。
【００２５】
前記第２走査手順において、スキャン電極は、 i(iは、 １、５、９、１３、…)番目のスキャン電極を含む第１グループと、i+１番目のスキャン電極を含む第２グループと、i+２番目のスキャン電極を含む第３グループと、 i+３番目のスキャン電極を含む第４グループとに分けられる。 
【００２６】
前記第２走査手順において、第１グループに含まれたスキャン電極が実質的に走査され、第２グループに含まれたスキャン電極が実質的に走査され、第３グループに含まれたスキャン電極が実質的に走査され、また第４グループに含まれたスキャン電極が実質的に走査される。
【００２７】
前記データパターンは、各サーブフィールドごとに検出されることができる。 
【００２８】
本発明の他の実施形態によれば、プラズマディスプレイ装置は、スキャン電極と、 前記スキャン電極と交差するデータ電極と、少なくとも２つのスキャン電極のデータ負荷による走査手順にスキャン電極を走査する走査駆動部と、走査に対応するデータ信号をデータ電極に供給するデータ駆動部とを備える。 
【００２９】
本発明のまた他の実施形態によれば、プラズマディスプレイ装置は、スキャン電極と、前記スキャン電極と交差するデータ電極と、前記スキャン電極と前記データ電極との交差部にある放電セルと、所定のデータパターンが前記放電セルに入力されるデータのデータパターンに含まれる割合によって少なくとも２つの走査手順に前記スキャン電極を走査する走査駆動部と、走査に対応するデータ信号を前記データ電極に供給するデータ駆動部とを備える。
【００３０】
本発明のまた他の実施形態によれば、スキャン電極と、前記のスキャン電極と交差するデータ電極とを含むプラズマディスプレイ装置を駆動する方法が提供される。この方法は、少なくとも２つのスキャン電極のデータ負荷による走査手順にスキャン電極を走査する段階と、走査に対応するデータ信号をデータ電極に供給する段階とを含む。
【００３１】
本発明のまた他の実施形態によれば、スキャン電極と、前記スキャン電極と交差するデータ電極及び前記スキャン電極とデータ電極との交差部にある放電セルを含むプラズマディスプレイ装置を駆動する方法が提供される。この方法は、所定データパターンが前記放電セルに入力されるデータのデータパターンに含まれた割合によって、少なくとも２つの走査手順にスキャン電極を走査する段階と、走査対応するデータ信号をデータ電極に供給する段階とを含む。 
【発明の効果】
【００３２】
本発明のデータ制御方法及び装置によると、データ駆動回路で発生する電力消費と発熱とを減らすことができる。 
【発明を実施するための最良の形態】
【００３３】
以下、本発明の実施形態を添付した図面に基づいて詳細に説明する。
図５は、本発明の実施形態によるプラズマディスプレイパネルのデータ制御部を示すブロック図である。
【００３４】
図５を参照すれば、本発明の実施形態によるプラズマディスプレイパネルの駆動装置は、ゲイン調整部４２、誤差拡散部４３、サーブフィールドマッピング部４４、及びデータパターン検出部４５を備えており、これらは第１逆ガンマ調整部４１Ａとデータ整列部４６との間に接続される。図示した装置は、また第２逆ガンマ調整部４１Ｂと波形発生部４８との間に接続されたＡＰＬ(Average Picture Level)計算部４７、データ整列部４６と波形発生部４８との間に接続されたパネル４９、及びデータパターン検出部４５、波形発生部４８とデータ整列部４６との間に接続されたデータ負荷検出部１００とを備える。本発明の制御部は、前述した全ての部品を含む必要はなく、さらに一部部品は制御部から分離するか又は多くの機能を持つことができる。
【００３５】
第１及び第２逆ガンマ調整部(４１Ａ、４１Ｂ)は、入力ライン４０から入力されるデジタルビデオデータ(ＲＧＢ)を逆ガンマ補正して映像信号の階調値に対する輝度を線形的に変換させる。
【００３６】
ゲイン調整部４２は、赤色、緑色及び青色の各データ別に有効利得を調整して色温度を償う。
誤差拡散部４３は、ゲイン調整部４２から入力されるデジタルビデオデータ(ＲＧＢ)の量子化誤差を隣接したセルに拡散させることで輝度値を微細に調整する。
【００３７】
サーブフィールドマッピング部４４は、誤差拡散部４３から入力されたデータを各ビット別に予め格納されたサーブフィールドパターンにマッピングし、そのマッピングデータをデータパターン検出部４５に供給する。
【００３８】
データパターン検出部４５は、マッピングデータを利用して各サーブフィールド別にデータパターンを検出し、検出されたデータパターンに対応される制御信号をデータ負荷検出部１００に供給する。この実施形態において、データパターン検出部４５は、データパターンが自分に入力されるデータパターンが、図３に示されたように、放電セルの各々のカラム方向とロー方向においてハイ論理とロー論理とが繰り返されるデータパターン(「第１データパターン」) であるか、または図４に示されたように、ロー方向においてハイ論理とロー論理とが繰り返されかつカラム方向の２つのグループごとにハイ論理とロー論理とが繰り返されるデータパターン(「第２データパターン」)であるか否かを判断する。また、第１データパターンと第２データパターンも検出可能である。 
【００３９】
データ負荷検出部１００は、データパターン検出部４５から供給されるデータパターンに対応する制御信号を波形発生部４８及びデータ整列部４６に供給する。
波形発生部４８は、データ負荷検出部１００から供給される制御信号に対応されるように走査手順を制御する。走査手順がデータ負荷検出部１００から供給される制御信号出力に対応してそれぞれのサーブフィールド別に異なるように設定されることができる。 
【００４０】
データ整列部４６は、サーブフィールドマッピング部４４から入力されるデジタルビデオデータをパネル４９のデータ駆動部に供給する。このとき、データ整列部４６は、データ負荷検出部１００から供給される制御信号に対応してデータの供給手順を制御する。言い換えて、データ整列部４６は、波形発生部４８で決定された走査手順に対応されるようにデータを供給する。このようなデータパターン検出部４５、データ負荷検出部１００、波形発生部４８及びデータ整列部４６の詳細な動作過程は後述する。
【００４１】
ＡＰＬ計算部４７は、第２逆ガンマ調整部４１Ｂから入力されるデジタルビデオデータ(ＲＧＢ)に対して一画面単位で平均輝度、すなわち、ＡＰＬを計算し、計算されたＡＰＬに対応される維持パルス数情報を出力する。  
【００４２】
波形発生部４８は、ＡＰＬ計算部４７からの維持パルス数情報に応答してタイミング制御信号を生成し、そのタイミング制御信号をパネル４９に供給する。
【００４３】
パネル４９は、データ整列部４６から供給されるデータに対応する画像を表示する。これのために、パネル４９には、図６のようにデータ駆動部５０及び走査駆動部５２が接続されている。  
【００４４】
図６を参照すれば、データ駆動部５０は、データ整列部４６で整列されて供給されるデータをデータ信号に変換し、変換されたデータ信号をデータ電極(Ｘ１〜Ｘｎ)に供給する。走査駆動部５２は、波形発生部４８から供給される制御信号に応答してスキャン電極(Ｙ１〜Ｙｍ)に供給されるスキャンパルスを供給する。ここで、走査駆動部５２は、波形発生部４８から供給される制御信号に応答してスキャン電極(Ｙ１〜Ｙｍ)を少なくとも２つ以上のグループに区分し、 区分されたグループのそれぞれに順次にスキャンパルスを供給する。
【００４５】
このような本発明によるＰＤＰの駆動装置の動作過程を図７と共に詳細に説明する。ここで、図７は、本発明の実施形態によるデータ制御方法を示す手順図ある。
【００４６】
図７を参照すれば、先ず、データパターン検出部４５は、サーブフィールドマッピング部４４から供給されるマッピングデータを利用して各サーブフィールド別にデータパターンを検出する(Ｓ２００)。ここで、データパターン検出部４５は、各サーブフィールド別に第１データパターンが含まれているかを判断する(Ｓ２０２)。
【００４７】
Ｓ２０２段階において、第１データパターンが含まれていると、データ負荷検出部１００は、第１データパターンの負荷を検出する。言い換えると、データ負荷検出部１００は、サーブフィールドに供給されるデータの中で第１データパターンの形態に供給されるデータの負荷を検出し、検出された負荷が一画面に供給される総データの中で第１基準点以上であるか否か判断する(Ｓ２０４)。第１データパターンの一例を図３に図示する。第１基準点を設定するための基準は、第１データパターンのデータ負荷が比較的大きい電力消費をもたらす点、第１データパターンのデータ負荷が比較的大きい電力消費をもたらす境界となる時点の第１データパターンの一画面に占める割合である。さらに、他の基準も可能である。 
【００４８】
ここで、第１基準点は２５%に設定可能である。この実施形態の場合に、実験によればサーブフィールドに供給されるデータの中で２５% 以上が第１データパターンに供給されると、消費電力は高くなることと明かされた。第１基準点が２５%に限定されるのではなく、実際のパネルの駆動環境によって一定範囲で可変することができるということが理解されなければならない。例えば、第１基準点は２０%に設定されることができる。
第１基準点は、周囲温度によって変化させることが可能である。例えば、周囲温度が高いほど低く設定することが好ましい。
【００４９】
Ｓ２０４段階において、第 １データパターンに供給されるデータが第１基準点以上と判断されると、データ負荷検出部１００は第１制御信号をデータ整列部４６及び波形発生部４８に供給する。
【００５０】
第１制御信号を供給受けた波形発生部４８は、スキャン電極(Ｙ１〜Ｙｍ)を２つのグループに分けてスキャンパルスが供給されるように走査駆動部５２を制御する。一つの走査手順において第１データパターンに対して、図８に図示したのように、走査駆動部５２は波形発生部４８の制御によって奇数(odd)番目のスキャン電極(Ｙ１、Ｙ３、Ｙ５、…)と偶数(even) 番目のスキャン電極(Ｙ２、Ｙ４、Ｙ６、…)とに分けてスキャンパルスを供給する(第１分割スキャン、Ｓ２０６)。 
【００５１】
第１制御信号を供給受けたデータ整列部４６は、走査手順に対応されるようにデータを整列し、整列されたデータをデータ駆動部５０に供給する。言い換えて、データ整列部４６は、奇数番目のスキャン電極(Ｙ１、Ｙ３、Ｙ５、…)にスキャンパルスが供給される時、これに対応されるデータをデータ駆動部５０に供給し、偶数番目のスキャン電極(Ｙ２、Ｙ４、Ｙ６、…)にスキャンパルスが供給される時、これに対応されるデータをデータ駆動部５０に供給する。データ駆動部５０は、データ整列部４６から供給されるデータをデータ信号で変換してデータ電極(Ｘ１〜Ｘｎ)に供給する。 
【００５２】
これによって、図８(a)のように奇数番目のスキャン電極(Ｙ１、Ｙ３、Ｙ５、…)にスキャンパルスが供給される時、それぞれのデータ電極(Ｘ１〜Ｘｎ)には同一極性のデータ信号が供給される。そして、図８(b)のように偶数番目のスキャン電極(Ｙ２、Ｙ４、Ｙ６、…)にスキャンパルスが供給される時、それぞれのデータ電極(Ｘ１〜Ｘｎ)には同一極性のデータ信号が供給される。
すなわち、本発明においては、図９に示されたように、奇数番目のスキャン電極(Ｙ１、Ｙ３、Ｙ５、…) 及び偶数番目のスキャン電極(Ｙ２、Ｙ４、Ｙ６、…)にスキャンパルスが供給される期間の間に、データ信号の極性は固定走査手順（一端部の電極から他端部の電極に向かって１本ずつ順次に走査する手順）で要求されるように水平信号ごとに変化されない。実際に、前記極性は、偶数番目のスキャン電極を通じて維持され、その後変化され、奇数番目のスキャン電極を通じて維持されることができる。このように、データ電極(Ｘ１〜Ｘｎ)に供給されるデータ信号の極性は、最後の奇数番目のスキャン電極(Ｙｍ−１)にスキャンパルスが供給された後、一番目の偶数番目のスキャン電極Ｙ２にスキャンパルスが供給される時にだけ変化されることができる。勿論、偶数番目のスキャン電極にスキャンパルスが先に供給された後、奇数番目のスキャン電極にスキャンパルスが供給されることもできる。従って、最後の偶数番目のスキャン電極(Ｙｍ)にスキャンパルスが供給された後、一番目の奇数番目のスキャン電極(Ｙ１)にスキャンパルスが供給される時にもデータ信号の極性は変化する。 
【００５３】
従って、本発明において、データ駆動部５０のスイチング素子は全ての奇数番目のスキャン電極(Ｙ１、Ｙ３、Ｙ５、…)にスキャンパルスが供給される期間と、全ての偶数番目のスキャン電極(Ｙ２、Ｙ４、Ｙ６、…)にスキャンパルスが供給される期間の間、同一なオン／オフ状態を維持し、これによって電力の消費を低減すると共にデータ駆動部５０から高い熱が発生することを防止することができる。 
【００５４】
一方、データパターン検出部４５は、Ｓ２０２段階において、第１データパターンが検出されなかったか、Ｓ２０４段階において、第１データパターンが第１基準以下の場合、各サーブフィールド別に第２データパターンが含まれているかを判断する(Ｓ２０８)。この実施形態において、第２データパターンは、他のデータパターンを持つことも可能であるが、ここでは、図４に図示したデータパターンを利用する。
Ｓ２０８段階において、第２データパターンが含まれていると、データ負荷検出部１００は第２データパターンの負荷を検出する。言い換えると、データ負荷検出部１００は、一画面に供給されるデータの中で第２データパターンのデータの負荷を検出し、検出された負荷が第２基準点以上であるか否かを判断する(Ｓ２１０)。第１基準点と同様に、、第２基準点を設定するための一つの基準は、第２データパターンのデータ負荷が比較的高電力消費を発生する点、第２データパターンのデータ負荷が比較的大きい電力消費をもたらす境界となる時点の第２データパターンの一画面に占める割合である。しかし、他の基準も可能であり、第２基準点を設定するための基準は、前記第１基準点とは異なるようにしても良い。 
【００５５】
この実施形態において、第２基準点は、５０%に設定されることができる。実験によれば、サーブフィールドに供給されるデータの中で５０% 以上が第２データパターンに供給されると、電力消費が高くなることと明かされた。勿論、第２基準が５０%に限定されるのではなく、実際のパネルの駆動環境によって一定の範囲で可能である、例えば、第２基準点は４０%に設定されることもできる。
第２基準点は、周囲温度によって変化させることが可能である。例えば、周囲温度が高いほど低く設定することが好ましい。
【００５６】
Ｓ２１０段階において、第２データパターンに供給されるデータが第２基準点以上と判断されると、データ負荷検出部１００は第２制御信号をデータ整列部４６及び波形発生部４８に供給する。
【００５７】
第２制御信号を供給受けた波形発生部４８は、スキャン電極(Ｙ１〜Ｙｍ)を４個のグループに分けてスキャンパルスが供給されるように走査駆動部５２を制御する。走査駆動部５２は、波形発生部４８の制御によって図１０に示されたように、 i(iは、 １、５、９、１３、…) 番目のスキャン電極(Ｙi)を含む第１グループと、i+１番目のスキャン電極を(Ｙi+１)を含む第 ２グループと、i+２番目のスキャン電極(Ｙi+２)を含む第３グループと、及びi+３番目のスキャン電極(Ｙi+３)を含む第４グループとに分けてスキャンパルスを供給する。 
【００５８】
ここで、走査駆動部５２は、第１グループ、第２グループ、第３グループ及び第４グループのそれぞれに含まれたスキャン電極にスキャンパルスを順次に供給する(第２分割スキャン、Ｓ２１２)。
【００５９】
第２制御信号を供給受けたデータ整列部４６は、第１グループに含まれたスキャン電極(Ｙi)にスキャンパルスが供給される時、これに対応されるデータをデータ駆動部５０に供給し、第２グループに含まれたスキャン電極(Ｙi+１)にスキャンパルスが供給される時、これに対応されるデータをデータ駆動部５０に供給する。そして、データ整列部４６は、第３グループに含まれたスキャン電極(Ｙi+２)にスキャンパルスが供給される時、これに対応されるデータをデータ駆動部５０に供給し、第４グループに含まれたスキャン電極(Ｙi+３)にスキャンパルスが供給される時、これに対応されるデータをデータ駆動部５０に供給する。データ駆動部５０は、スキャンパルスが供給されるごとに自分に供給されたデータをデータ信号で変換してデータ電極(Ｘ１〜Ｘｎ)に供給する。
【００６０】
これによって、図１０ａ乃至ｄに示されたように、それぞれのグループに含まれたスキャン電極にスキャンパルスが供給される時、それぞれのデータ電極(Ｘ１〜Ｘｎ)には同一極性のデータ信号が供給される。すなわち、本発明においては、図１１ａ及びｂに示されたように、データ信号の極性が水平信号ごとに変化せず同一極性を維持する。実際に、本発明において、データ電極(Ｘ１〜Ｘｎ)に供給されるデータ信号の極性は、i+１番目のスキャン電極(Ｙi+１)のうち一番目にスキャンされるスキャン電極、i+２番目のスキャン電極(Ｙi+２)のうち一番目にスキャンされるスキャン電極、及びi+３番目のスキャン電極(Ｙi+３)のうち一番目にスキャンされるスキャン電極にスキャンパルスが供給される時だけ変化するが、それ外の場合に於いてそれぞれのグループを走査する間は同一極性を維持することができる。実際には、この実施形態において、第１に、２つのグループのスキャン電極を走査した後、残りの２つのグループの電極の走査のために極性が変化されることができる。 
【００６１】
すなわち、本発明でデータ駆動部５０のスイチング素子は、第１グループ乃至第４グループのそれぞれに含まれたスキャン電極にスキャンパルスが供給される時、同一なオン／オフ状態を維持し、これによって電力の消費を低減すると共にデータ駆動部５０で高い熱が発生されることを防止することができる。 
【００６２】
一方、Ｓ２０８段階において、第 ２データパターンが検出されないと、データパターン検出部４５は、これに対応する結果をデータ負荷検出部１００に供給し、データ負荷検出部１００は、第３制御信号をデータ整列部４６及び波形発生部４８に供給する。また、Ｓ２１０段階において、第２データパターンが第２基準点以下に設定されると、データ負荷検出部１００は第３制御信号をデータ整列部４６及び波形発生部４８に供給する。
第３制御信号を供給受けた波形発生部４８は、全スキャン電極に順次にスキャンパルスが供給されるように走査駆動部５２を制御する。そして、第３制御信号を供給受けたデータ整列部４６は走査駆動部５２の走査手順に対応されるようにデータの供給手順を決定し、決定された供給手順に対応されるデータをデータ駆動部５０に供給する。必要であれば、追加のデータパターンが検出されることもでき、追加のスキャン電極に対して追加の制御信号が供給されることができる。 
【００６３】
前述したように、本発明によるデータ制御方法及び装置によれば、第１データパターン及び第２データパターンとして供給されたデータ負荷はフレームから検出される。スキャン電極は、検出された一つ以上の所定のデータパターン負荷によって一つ以上のグループに分割された後、分割されたグループに対応する走査信号を供給受ける。このように、スキャン電極が２以上のグループに分割される場合、データ電極に印加されたデータ信号の極性変化が最小化されることができる。従って、データ集積回路で発生する電力の消費及び発熱を低減することができる。 
【００６４】
ここでは、特定の第１及び第２データパターンを記述したが、データ制御部は、任意の数又は配置のデータパターンを検出し、任意の数又は配置のデータパターンに対して走査手順を最適化することができる。また、パネルの任意の部分、又はパネルの全体に対して、データパターンの検出、及び走査手順の適用することができる。例えば、パターンが検出可能なパネルの最小部分は２つの放電セルである。 
【００６５】
今まで本発明を特定実施形態を参照にして記述したが、本発明はここに制限されるものではなく、以下の請求範囲によってのみ制限される。そして当業者であれば、本発明の思想及び領域を脱しない範囲内で本発明を修正及び変形することができるという事実が理解されなければならない。 
【図面の簡単な説明】
【００６６】
【図１】一般的なプラズマディスプレイパネルの一つのフレームを示す図。
【図２】ＰＤＰの静電容量を示す等価回路図。
【図３】データパターンを概略的に図示する図。
【図４】データパターンを概略的に図示する図。
【図５】本発明の実施形態によるデータ制御部を示すブロック図。
【図６】ディスプレイパネルに接続される駆動部を示す図。
【図７】本発明の実施形態によるデータ制御方法を示す図。
【図８】図３に示されたデータパターンに対するデータ制御部の動作過程を示す図。
【図９】図８に示された動作過程のためにパネルに供給されるデータの極性を示す図。
【図１０ａ】図４に示されたデータパターンに対するデータ制御装置の動作過程を示す図。
【図１０ｂ】図４に示されたデータパターンに対するデータ制御装置の動作過程を示す図。
【図１０ｃ】図４に示されたデータパターンに対するデータ制御装置の動作過程を示す図。
【図１０ｄ】図４に示されたデータパターンに対するデータ制御装置の動作過程を示す図。
【図１１】図１０に示された動作過程のためにパネルに供給されるデータの極性を示す図。
【図１】
2006106684.tif 000003
【図２】
2006106684.tif 000004
【図３】
2006106684.tif 000005
【図４】
2006106684.tif 000006
【図５】
2006106684.tif 000007
【図６】
2006106684.tif 000008
【図７】
2006106684.tif 000009
【図８】
2006106684.tif 000010
【図９】
2006106684.tif 000011
【図１０ａ】
2006106684.tif 000012
【図１０ｂ】
2006106684.tif 000013
【図１０ｃ】
2006106684.tif 000014
【図１０ｄ】
2006106684.tif 000015
【図１１】
2006106684.tif 000016